(57)【要約】      （修正有）【課題】人間の嗅覚を用いた分析方法であるガスクロマトグラフィーオルファクトメトリー（ＧＣ−Ｏ）に好適で、分析の信頼性を得られるようにした、香気成分分析装置を提供する。【解決手段】香気成分を含む試料ガスを主流導管５を介して分配器７へ導入可能に設ける。前記分配器７に連通する分流導管１０の下流側に、所定温度に加熱かつ保温可能な複数のトランスファーライン３９〜４１を配置する。前記トランスファーライン３９〜４１の内部に前記分流導管１０に連通する支流導管１９，３８，４２を配置する。前記支流導管１９，３８，４２の下流から試料ガスを送出可能にする。前記分流導管１０と各支流導管１９，３８，４２との間に複数の試料ガス流路を設ける。前記試料ガス流路を選択的に切換え可能に設ける。前記試料ガス流路を一または複数の支流導管１９，３８，４２に連通可能に設ける。【選択図】図１
2012207982.tif 000002
【特許請求の範囲】
【請求項１】
香気成分を含む試料ガスを主流導管を介して分配器へ導入可能に設け、該分配器から分岐する複数の支流導管を設け、該支流導管の下流側に内部の支流導管を所定温度に加熱かつ保温可能な複数のトランスファーラインを設け、該トランスファーラインの下流から前記試料ガスを送出可能にした香気成分分析装置において、前記支流導管に一または複数の流路切換装置を配置し、該流路切換装置を試料ガスの匂いを嗅ぐオペレータの人数に応じて選択的に切換え作動し、前記試料ガスを一または複数のトランスファーラインに供給可能にしたことを特徴とする香気成分分析装置。
【請求項２】
前記流路切換装置によって特定のトランスファーラインに連通する支流導管を選択し、選択した支流導管のみに試料ガスを供給可能にした請求項１記載の香気成分分析装置。
【請求項３】
前記流路切換装置とトランスファーラインとの間の支流導管に、複数の接続口を備えた一または複数のマニホルドを配置した請求項１記載の香気成分分析装置。
【請求項４】
各トランスファーラインの内部に複数の支流導管の下流部を配置した請求項２記載の香気成分分析装置。
【請求項５】
一のトランスファーラインの内部に異なるオペレ−タ数に用いられる支流導管を複数配置した請求項４記載の香気成分分析装置。
【請求項６】
前記トランスファーラインを２以上設けた請求項１記載の香気成分分析装置。
【請求項７】
前記トランスファーラインを湾曲可能にした請求項１記載の香気成分分析装置。
【請求項８】
前記分配器から下流側端部までの支流導管の長さ或いは内径を互いに相違させた請求項１記載の香気成分分析装置。
【請求項９】
複数人嗅ぎ用のトランスファーラインに配置した各支流導管から試料ガスを同時期に送出可能にするとともに、前記試料ガスを香気成分を検出する検出器に同時期に送出可能にした請求項８記載の香気成分分析装置。
【請求項１０】
一人のオペレータによる匂い嗅ぎ用の支流導管の長さを最長に構成し、三人のオペレータによる匂い嗅ぎ用の支流導管の長さを最短とし、二人のオペレータによる匂い嗅ぎ用の支流導管の長さを中間とした請求項５記載の香気成分分析装置。
【請求項１１】
前記各トランスファーライン内部に配置した複数の支流導管の外側にヒータ線を粗密に捲回し、前記トランスファーラインの一側端部にヒ−タ線を密巻きに捲回し、その他端部側にヒータ線を準密巻きに捲回し、その他の部分を粗巻きに捲回した請求項４記載の香気成分分析装置。
【請求項１２】
前記主流導管を分離カラムで構成し、前記流路切換装置とマニホルドをガスクロマトグラフのオーブン内に配置し、該オーブンの外側に前記トランスファーラインを配置した請求項１記載の香気成分分析装置。
【請求項１３】
前記トランスファーラインを三つ設け、その一のトランスファーラインを一人または三人のオペレータによる匂い嗅ぎ用とし、他のトランスファーラインを二人または三人のオペレータによる匂い嗅ぎ用とした請求項５乃至請求項８のうち、何れか一項記載の香気成分分析装置。
【発明の詳細な説明】
【技術分野】
【０００１】
本発明は、人間の嗅覚を用いた分析方法であるガスクロマトグラフィーオルファクトメトリー（ＧＣ−Ｏ）に好適で、サンプルの再液化を防止し、香気成分ピークの微妙な香りの違いや強弱を容易に嗅ぎ分けられるとともに、匂いを嗅ぐオペレータの人数に応じて香気成分を合理的かつ有効に分配し、分析の信頼性を得られるようにした、香気成分分析装置に関する。
【背景技術】
【０００２】
ガスクロマトグラフィーオルファクトメトリーを具現したものとして、ガスクロマトグラフ本体の内部に分離器を設置し、試料中の成分の一部を検出器に分配し、他の一部を匂い識別用アダプターに分配する装置がある。
しかし、この装置は、匂い識別用アダプターがガスクロマトグラフ本体に設置されているため、アダプターから匂いを嗅ぐためには、オペレータが無理な姿勢で顔をアダプターに近付ける必要があり、その際オペレータはガスクロマトグラフから出る熱を間近に顔で受ける等の過酷な作業を強いられてストレスを感じ、結果的に匂い識別精度が低下する問題があった。
【０００３】
また、排出されるガスがガスクロマトグラフから出る熱の影響を受け、匂いの識別に適した条件で識別することができず、しかも各成分を検出器に現れるピークと対応させながら匂いを識別するのに不便であり、更に複数のオペレータによって匂いを識別することが困難で、十分な分析精度を得られないという問題があった。
【０００４】
このような問題を解決するものとして、ガスクロマトグラフ本体にカラムを接続する第１の分離器を設け、該分離器に検出器に連通するリードパイプと、第２の分離器に連通するリードパイプとを接続し、前記第２の分離器をガスクロマトグラフ本体の外部に設置し、該第２の分離器に三本のリードパイプを加熱かつ保温可能に接続し、試料成分の凝縮を防止するとともに、各リードパイプにガス排出部材を移動可能に接続し、ガス排出部材から排出されるガスを、ガスクロマトグラフ本体から発生する熱の影響を少なくし、複数のオペレータによって匂いの質を判定し、分析精度の信頼性を得るようにしている。
【０００５】
そして、ガス排出部材に湿潤空気を導入し、鼻の粘膜を乾燥から防止するとともに、ラッパ形の排出ガス受口を取付け、かつ第１の分離器から検出器に至るガス移動時間と、第１の分離器から各ガス排出部材に至るガス移動時間とが実質的に同一になるように、各リードパイプの内径と長さを適宜範囲に設定し、検出器における各ガス成分の情報と同時に匂いの質を判定し得るようにしたガスクロマトグラフがある（例えば、特許文献１参照）
【０００６】
しかし、前記ガスクロマトグラフは、各ガス排出部材に対する切換え手段を有しないため、実際のオペレータの人数に拘わらず、香気成分を全てのガス排出部材に配分するため、使用しないガス排出部材から香気成分が流出し、その有効利用を図れない上に、前記流出によってオペレータに配分される香気成分の濃度が希釈され、微量な香気成分や匂いの弱い香気成分を嗅ぎ分けることが困難になり、分析精度の信頼性を得られなくなる等の問題があって、実際に使用するガス排出部材だけに香気成分を配分する構造のものが望まれていた。
【先行技術文献】
【特許文献】
【０００７】
【特許文献１】実用新案登録第２５７７６４１号公報
【発明の開示】
【発明が解決しようとする課題】
【０００８】
本発明はこのような問題を解決し、人間の嗅覚を用いた分析方法であるガスクロマトグラフィーオルファクトメトリー（ＧＣ−Ｏ）に好適で、サンプルの再液化を防止し、香気成分ピークの微妙な香りの違いや強弱を容易に嗅ぎ分けられるとともに、匂いを嗅ぐオペレータの人数に応じて香気成分をトランスファーラインに合理的かつ有効に分配し、分析の信頼性を得られるようにした、香気成分分析装置を提供することを目的とする。
【課題を解決するための手段】
【０００９】
請求項１の発明は、香気成分を含む試料ガスを主流導管を介して分配器へ導入可能に設け、該分配器から分岐する複数の支流導管を設け、該支流導管の下流側に内部の支流導管を所定温度に加熱かつ保温可能な複数のトランスファーラインを設け、該トランスファーラインの下流から前記試料ガスを送出可能にした香気成分分析装置において、前記支流導管に一または複数の流路切換装置を配置し、該流路切換装置を試料ガスの匂いを嗅ぐオペレータの人数に応じて選択的に切換え作動し、前記試料ガスを一または複数のトランスファーラインに供給可能にし、実際にオペレータが使用するトランスファーラインのみに試料ガスを送出し、試料ガスの空費を防止し、その有効利用を図るとともに、香気成分の希釈を防止し、微量な香気成分や香りの弱い香気成分、または微妙な香りの違いや強弱を容易に嗅ぎ分けられ、この種の分析を正確かつ精密に行なえ、分析の信頼性を得られるようにしている。
【００１０】
請求項２の発明は、前記流路切換装置によって特定のトランスファーラインに連通する支流導管を選択し、選択した支流導管のみに試料ガスを供給可能にし、試料ガスの流路の共用や混用を回避し、微量な香気成分や香りの弱い香気成分、または微妙な香りの違いや強弱を容易に嗅ぎ分けられ、この種の分析を正確かつ精密に行なえるようにしている。
請求項３の発明は、前記流路切換装置とトランスファーラインとの間の支流導管に、複数の接続口を備えた一または複数のマニホルドを配置し、試料ガスをマニホルドによって分岐し、オペレータの使用に応じて該当のトランスファーラインに供給し得るようにしている。
【００１１】
請求項４の発明は、各トランスファーラインの内部に複数の支流導管の下流部を配置し、各支流導管に試料ガスを供給することによって、トランスファーラインをオペレータの人数に応じて、一人乃至複数人嗅ぎ用の使用を図れ、使用の利便性を得られるとともに、試料ガスの合理的な利用を図るようにしている。
請求項５の発明は、一のトランスファーラインの内部に異なるオペレータ数に用いられる支流導管を複数配置し、一のトランスファーラインを、例えば一人嗅ぎと三人嗅ぎ、または二人嗅ぎと三人嗅ぎのような使用を図れ、使用の多様化と利便性を得られるようにしている。
【００１２】
請求項６の発明は、前記トランスファーラインを２以上設け、２人嗅ぎ用または３人嗅ぎ用以上とし、複数人のオペレ−タによる匂い嗅ぎ分析に応じられるようにしている。
請求項７の発明は、前記トランスファーラインを湾曲可能にし、オペレータの姿勢と鼻の位置にトランスファーラインの形態を対応させ、オペレータの無理のない作業姿勢を確保し作業性を向上するようにしている。
【００１３】
請求項８の発明は、前記分配器から下流側端部までの支流導管の長さ或いは内径を互いに相違させ、オペレータの人数に応じて試料ガスを同時期に送出可能にし、一人または複数のオペレータによる匂い嗅ぎ分析を実現するようにしている。
請求項９の発明は、複数人嗅ぎ用のトランスファーラインに配置した各支流導管から試料ガスを同時期に送出可能にするとともに、前記試料ガスを香気成分を検出する検出器に同時期に送出可能にし、複数のオペレータによる匂い嗅ぎ分析を実現し、分析精度を向上するようにしている。
【００１４】
請求項１０の発明は、一人のオペレータによる匂い嗅ぎ用の支流導管の長さを最長に構成し、三人のオペレータによる匂い嗅ぎ用の支流導管の長さを最短とし、二人のオペレータによる匂い嗅ぎ用の支流導管の長さを中間とし、一人乃至三人のオペレータによる匂い嗅ぎ分析用の支流導管の長さを調整し、各場合において試料が検出器に到達するまでの時間と、トランスファーライン出口に到達するまでの時間の差を最小に調整し、分析精度を向上するようにしている。
【００１５】
請求項１１の発明は、前記各トランスファーライン内部に配置した複数の支流導管の外側にヒータ線を粗密に捲回し、前記トランスファーラインの一側端部にヒータ線を密巻きに捲回し、その他端部側にヒータ線を準密巻きに捲回し、その他の部分を粗巻きに捲回し、各トランスファーラインの内部に配置した支流導管の温度低下を防止し、前記支流導管を全域に亘って一定の温度に維持し、支流導管内部の試料ガスの再液化を防止し、分析の信頼性を確保するようにしている。
【００１６】
請求項１２の発明は、前記主流導管を分離カラムで構成し、前記流路切換装置とマニホルドをガスクロマトグラフのオーブン内に配置し、該オ−ブンの外側に前記トランスファーラインを配置し、ガスクロマトグラフを駆使した小型かつ安価で合理的な香気成分分析装置を実現している。
請求項１３の発明は、前記トランスファーラインを三つ設け、その一のトランスファーラインを一人または三人のオペレータによる匂い嗅ぎ用とし、他のトランスファーラインを二人または三人のオペレータによる匂い嗅ぎ用とし、三つのトランスファーラインを二様に分け、そのそれぞれを一人または複数のオペレータによる匂い嗅ぎ用とし、オペレータの人数に応じてトランスファーラインを合理的に使い分け、この種分析装置の小型化と設置スペースのコンパクト化、並びに分析作業の能率向上を図るようにしている。
【発明の効果】
【００１７】
請求項１の発明は、前記支流導管に一または複数の流路切換装置を配置し、該流路切換装置を試料ガスの匂いを嗅ぐオペレータの人数に応じて選択的に切換え作動し、前記試料ガスを一または複数のトランスファーラインに供給可能にしたから、実際にオペレータが使用するトランスファーラインのみに試料ガスを送出し、試料ガスの空費を防止し、その有効利用を図るとともに、香気成分の希釈を防止し、微量な香気成分や香りの弱い香気成分、または微妙な香りの違いや強弱を容易に嗅ぎ分けられ、この種の分析を正確かつ精密に行なえ、分析の信頼性を得られる効果がある。
【００１８】
請求項２の発明は、前記流路切換装置によって特定のトランスファーラインに連通する支流導管を選択し、選択した支流導管のみに試料ガスを供給可能にしたから、試料ガスの流路の共用や混用を回避し、微量な香気成分や香りの弱い香気成分、または微妙な香りの違いや強弱を容易に嗅ぎ分けられ、この種の分析を正確かつ精密に行なうことができる。
請求項３の発明は、前記流路切換装置とトランスファーラインとの間の支流導管に、複数の接続口を備えた一または複数のマニホルドを配置したから、試料ガスをマニホルドによって分岐し、オペレータの使用に応じて該当のトランスファーラインに供給することができる。
【００１９】
請求項４の発明は、各トランスファーラインの内部に複数の支流導管の下流部を配置したから、各支流導管に試料ガスを供給することによって、トランスファーラインをオペレータの人数に応じて、一人乃至複数人嗅ぎ用の使用を図れ、使用の利便性を得られるとともに、試料ガスの合理的な利用を図ることができる。
請求項５の発明は、一のトランスファーラインの内部に異なるオペレ−タ数に用いられる支流導管を複数配置したから、一のトランスファーラインを、例えば一人嗅ぎと三人嗅ぎ、または二人嗅ぎと三人嗅ぎのような使用を図れ、使用の多様化と利便性を得られる効果がある。
【００２０】
請求項６の発明は、前記トランスファーラインを２以上設けたから、２人嗅ぎ用または３人嗅ぎ用以上とし、複数人のオペレータによる匂い嗅ぎ分析に応じられる効果がある。
請求項７の発明は、前記トランスファーラインを湾曲可能にしたから、オペレータの姿勢と鼻の位置にトランスファーラインの形態を対応させ、オペレータの無理のない作業姿勢を確保し作業性を向上することができる。
請求項８の発明は、前記分配器から下流側端部までの支流導管の長さ或いは内径を互いに相違させたから、オペレータの人数に応じて試料ガスを同時期に送出可能にし、一人または複数のオペレータによる匂い嗅ぎ分析を実現することができる。
【００２１】
請求項９の発明は、複数人嗅ぎ用のトランスファーラインに配置した各支流導管から試料ガスを同時期に送出可能にするとともに、前記試料ガスを香気成分を検出する検出器に同時期に送出可能にしたから、複数のオペレータによる匂い嗅ぎ分析を実現し、分析精度を向上することができる。
請求項１０の発明は、一人のオペレータによる匂い嗅ぎ用の支流導管の長さを最長に構成し、三人のオペレータによる匂い嗅ぎ用の支流導管の長さを最短とし、二人のオペレータによる匂い嗅ぎ用の支流導管の長さを中間としたから、一人乃至三人のオペレータによる匂い嗅ぎ分析用の支流導管の長さを調整し、各場合において試料が検出器に到達するまでの時間と、トランスファーライン出口に到達するまでの時間の差を最小に調整し、分析精度を向上することができる。
【００２２】
請求項１１の発明は、前記各トランスファーライン内部に配置した複数の支流導管の外側にヒータ線を粗密に捲回し、前記トランスファーラインの一側端部にヒータ線を密巻きに捲回し、その他端部側にヒータ線を準密巻きに捲回し、その他の部分を粗巻きに捲回したから、各トランスファーラインの内部に配置した支流導管の温度低下を防止し、前記支流導管を全域に亘って一定の温度に維持し、支流導管内部の試料ガスの再液化を防止し、分析の信頼性を確保することができる。
【００２３】
請求項１２の発明は、前記主流導管を分離カラムで構成し、前記流路切換装置とマニホルドをガスクロマトグラフのオーブン内に配置したから、該オーブンの外側に前記トランスファーラインを配置し、ガスクロマトグラフを駆使した小型かつ安価で合理的な香気成分分析装置を実現することができる。
請求項１３の発明は、前記トランスファーラインを三つ設け、その一の  トランスファーラインを一人または三人のオペレータによる匂い嗅ぎ用とし、他のトランスファーラインを二人または三人のオペレータによる匂い嗅ぎ用としたから、三つのトランスファーラインを二様に分け、それぞれを一人または複数のオペレ−タによる匂い嗅ぎ用とし、オペレータの人数に応じてトランスファーラインを合理的に使い分け、この種分析装置の小型化と設置スペ−スのコンパクト化、並びに分析作業の能率向上を図ることができる。
【図面の簡単な説明】
【００２４】
【図１】本発明装置の一例を示す説明図である。
【図２】本発明に適用した第１流路切換装置を示す説明図である。
【図３】本発明に適用した第２流路切換装置を示す説明図である。
【図４】本発明に適用したトランスファーラインの組立後の状況を示す斜視図である
【００２５】
【図５】図４の左側面の拡大図で、スニッフィングボックスの側端面とノーズコーンの状況を示している。
【図６】本発明に適用したトランスファーラインの組立後の状況を示す断面図である
【図７】図６のＡ−Ａ線に沿う拡大断面図である。
【図８】図６のＢ−Ｂ線に沿うヒートフランジ部の拡大断面図である。
【００２６】
【図９】本発明装置の使用状態を示す説明図で、二人のオペレータによる匂い嗅ぎ分析の状態を示している。
【図１０】本発明装置の使用時を示す説明図で、三人のオペレータによる匂い嗅ぎ分析の状態を示している。
【図１１】本発明装置の使用時を示す説明図で、一人のオペレータによる匂い嗅ぎ分析の状態を示している。
【図１２】本発明装置の他の実施形態を示す説明図である。
【発明を実施するための最良の形態】
【００２７】
以下、本発明をガスクロマトグラフで分離した香気若しくは臭気成分を一人乃至三人のオペレータによる匂い嗅ぎ分析に適用した図示の実施形態によって説明すると、図１乃至図１１において１はガスクロマトグラフで、そのキャリアガス導管２にインジェクション若しくは加熱脱着或いは熱分解が可能な試料気化室３が設けられている。
【００２８】
前記気化室３に、液体若しくは気体または固体の試料の試料成分（香気成分）がシリンジ等の試料注入器４によって注入可能にされ、前記香気成分を前記試料気化室３で瞬間的に気化し、その試料成分を含むキャリアガス（以下、試料ガスと呼ぶ）を主流導管である分離カラム５へ送り出している。
【００２９】
前記分離カラム５はガスクロマトグラフ１のオーブン６内に捲回して配置され、その下流側端部を分配器７に接続している。実施形態では前記オーブン６は４０〜３００℃に温度調整可能にされている。
前記分配器７の内部に分岐路８が設けられ、その内面は不活性化処理され、該分岐路８は互いに連通する複数の接続口８ａ，８ｂ，８ｃで形成され、これらの接続口８ａ，８ｂ，８ｃに前記分離カラム５と、後述する分流導管と検出導管とが接続され、これらの導管に、分離カラム５を通じて前記分配器７に導入された試料ガスを所定の分配比で分配可能にしている。
【００３０】
このうち、接続口８ａに分離カラム５の下流側端部が接続され、接続口８ｂに前記検出導管９の一端が接続され、接続口８ｃに前記分流導管１０の一端が接続されている。
前記検出導管９および分流導管１０は、外壁をポリイミドコートした細管状の溶融石英ガラスチューブ、または内面を不活性化処理したキャピラリーチューブ等の金属細管若しくは耐熱性の合成樹脂細管によって構成されている。
【００３１】
そして、前記検出導管９と、分流導管１０から後述するトランスファーラインの匂い嗅ぎ位置までの流路の内径と長さによる管路抵抗によって、分配器７から検出導管９と分流導管１０への分配比を設定している。実施形態では前記比率を約１：１０〜５：５に設定している。
【００３２】
前記検出導管９の他端にＦＩＤ等の検出器１１が接続され、該検出器１１は検出導管９から導入された試料ガス中の香気成分を刻々と検出し、その検出信号を表示器１２に出力し、該表示器１２にクロマトグラムを表示可能にしている。
前記分流導管１０の下流側に、後述する第１および第２流路切換装置が配置され、これらの流路切換装置によって試料ガスの流路を複数に分けている。
前記試料ガスの流路は可及的に流路の混用ないし重複を回避して構成され、該流路の下流に各支流導管が連絡している。
【００３３】
前記分流導管１０の他端は第１流路切換装置１３に接続され、該第１流路切換装置１３の流路内面は不活性化処理され、該流路切換装置１３に一対の第１支流導管１４，１５が接続されている。
前記第１支流導管１４，１５は、前記分流導管１０と実質的に同一の細管によって構成され、その下流側端部に、流路内面を不活性化処理した第２流路切換装置１６と第１マニホルド１７が配置され、前記第２流路切換装置１６に、組を構成する第２支流導管１８と支流導管１９とが接続されている。
【００３４】
前記第１マニホルド１７は流路内面を不活性化処理され、その一端部に第１支流導管１５を接続する接続口（図示略）が形成され、他端部に複数の接続口（図示略）が形成されている。
前記第１および第２流路切換装置１３，１６は実質的に同一に構成され、それらの作動は制御装置２１によって制御され、一対の第１支流導管１４，１５の何れか一方、および第２支流導管１８または支流導管１９の何れか一方に流路を切換え、試料ガスを下流側へ送り出し可能にしている。
【００３５】
前記制御装置２１は、パーソナルコンピュータによって演算制御可能に構成され、その演算部に、分析環境、オペレータの人数、第１および第２流路切換装置１３，１６における第１および第２支流導管１４，１５、１８、支流導管１９への切換条件、後述する各トランスファーラインにおける支流導管とヒータ線の加熱温度、加熱条件等の分析条件が記憶され、前記記憶情報に基いて第１および第２流路切換装置１３，１６を制御可能にしている。
【００３６】
この場合、各トランスファーラインにおける支流導管とヒータ線の加熱温度、加熱条件等の加熱制御を、前記制御装置２１と別個の制御装置によって単独で制御し、第１および第２流路切換装置１３，１６の切換え制御を前記制御装置２１によって制御させることも可能である。
【００３７】
前記第１および第２流路切換装置１３，１６は実質的に同一に構成され、この実施形態ではディーンズ（Ｄｅａｎｓ）方式による流路切換装置を採用している。
すなわち、第１流路切換装置１３は、分流導管１０と第１支流導管１４に連通するスイッチングガス分岐路２２と、第１支流導管１５に連通するスイッチングガス分岐路２３を有し、該分岐路２２，２３の連通部に三方切換弁２４が介挿され、該切換弁２４はモータ等で作動可能にされ、スイッチングガス分岐路２２，２３の何れか一方に切換可能にしている。
【００３８】
前記三方切換弁２４は圧力制御弁２５に接続され、  該圧力制御弁２５はスイッチングガス供給路２６を介してスイッチングガス供給部２７に接続され、該スイッチングガス供給部２７からヘリウムガス等の不活性なスイッチングガスを三方切換弁２４に供給可能にしている。
【００３９】
前記スイッチングガス供給部２７は、前記制御装置２１の制御信号Ｓ1によって微量のスイッチングガスを供給可能にされ、該スイッチングガスを三方切換弁２４によって、何れか一方のスイッチングガス分岐路２２，２３へ導入可能にしている。
図中、２８はスイッチングガス分岐路２２，２３間に設けた管路抵抗の大きな抵抗管、２９は分流導管１０，１４,１５内に配置された連通管である。
【００４０】
そして、制御装置２１の制御信号Ｓ1によって、前記三方切換弁２４を開閉作動し、スイッチングガス供給路２６を、例えば一方のスイッチングガス分岐路２３と第１支流導管１５とに連通し、スイッチングガスをスイッチングガス供給部２７から三方切換弁２４へ供給し、更にスイッチングガス分岐路２３に導いて、第１支流導管１５側へ移動可能にしている。
【００４１】
前記スイッチングガスの一部は、抵抗管２８を移動して他方のスイッチングガス分岐路２２に導かれ、前記抵抗管２８を移動する際、その管路抵抗によって圧力降下を生じ、連通管２９の両端に圧力差を形成可能にしている。
【００４２】
すなわち、第１支流導管１５側が分流導管１０側よりも高圧になり、その圧力差によってスイッチングガスが連通管２９に導かれて分流導管１０側へ移動し、残りのスイッチングガスが第１支流導管１５側へ移動可能にされている。
そして、分流導管１０から送られた試料ガスが、連通管２９内の少量のスイッチングガスと合流し、第１支流導管１４側へ移動可能にされている。
【００４３】
この反対に、スイッチングガス供給路２６を、他方のスイッチングガス分岐路２２と分流導管１０とに連通すると、前述と反対にスイッチングガスが移動し、分流導管１０から送られた試料ガスが、連通管２９内を分流導管１０から第１支流導管１５側へ移動し、前述の第１支流導管１４側から切換え可能にされている。
【００４４】
一方、第２流路切換装置１６は、第１支流導管１４と第２支流導管１８に連通するスイッチングガス分岐路３０と、第２支流導管１９に連通するスイッチングガス分岐路３１有し、該分岐路３０，３１の連通部に三方切換弁３２が介挿され、該切換弁３２はモータ等で作動可能にされ、スイッチングガス分岐路３０，３１の何れか一方に切換可能にしている。
【００４５】
前記三方切換弁３２は圧力制御弁３３に接続され、  該圧力制御弁３３はスイッチングガス供給路３４を介してスイッチングガス供給部３５に接続され、該スイッチングガス供給部３５からヘリウムガス等の不活性なスイッチングガスを三方切換弁３２へ供給可能にしている。
【００４６】
前記スイッチングガス供給部３５は、前記制御装置２１の制御信号Ｓ2によって微量のスイッチングガスを供給可能にされ、該スイッチングガスを三方切換弁３２によって、何れか一方のスイッチングガス分岐路３０，３１へ導入可能にしている。
図中、３６はスイッチングガス分岐路３０，３１間に設けた管路抵抗の大きな抵抗管、３７は分流導管１４，１８,１９内に配置された連通管である。
【００４７】
そして、制御装置２１の制御信号Ｓ2によって、前記三方切換弁３２を開閉作動し、スイッチングガス供給路３４を、例えば一方のスイッチングガス分岐路３１と第２支流導管１９とに連通し、スイッチングガスをスイッチングガス供給部３５から三方切換弁３２へ供給し、更にスイッチングガス分岐路３１に導いて、第２支流導管１９側へ移動可能にしている。
【００４８】
前記スイッチングガスの一部は、抵抗管３６を移動して他方のスイッチングガス分岐路３０に導かれ、前記抵抗管３６を移動する際、その管路抵抗によって圧力降下を生じ、連通管３７の両端に圧力差を形成可能にしている。
【００４９】
すなわち、第２支流導管１９側が第１支流導管１４側よりも高圧になり、その圧力差によってスイッチングガスが連通管３７に導かれて第１支流導管１４側へ移動し、残りのスイッチングガスが第２支流導管１９側へ移動可能にされている。
そして、第１支流導管１４から送られた試料ガスが、連通管３７内の少量のスイッチングガスと合流し、第２支流導管１８側へ移動可能にされている。
【００５０】
この反対に、スイッチングガス供給路３４を、他方のスイッチングガス分岐路３０と第１支流導管１４とに連通すると、前述と反対にスイッチングガスが移動し、第１支流導管１４から送られた試料ガスが、連通管３７内を第１支流導管１４から第２支流導管１９側へ移動し、前述の第２支流導管１８側から切換え可能にされている。
【００５１】
一方、前記第１マニホルド１７の一側に第１支流導管１５が接続され、この他側の三つの接続口から三本の支流導管３８が分岐して配管されている。
前記支流導管３８は、共通の移動経路を有する分流導管１５と長さを異にして、同様の細管によって折り曲げ可能に構成され、それらの一部をオーブン６内に配置し、残りの一部を第１乃至第３トランスファーライン３９〜４１の内部に配置している。
【００５２】
前記第２マニホルド２０は、第１マニホルド１７と実質的に同一に構成され、その一側に第２支流導管１８が接続され、この他側に二つの接続口（図示略）が形成され、該接続口に二本の支流導管４２が接続されている。
前記支流導管４２は、共通の移動経路を有する分流導管１４，１８と長さを異にして、同様の細管によって折り曲げ可能に構成され、それらの一部をオーブン６内に配置し、残りの一部を第１乃至第３トランスファーライン３９〜４１の内部に配置している。
【００５３】
前記第１乃至第３トランスファーライン３９〜４１は、直径約３０ｍｍ、長さ約４８０〜１０００ｍｍの湾曲可能な大径の円筒状に形成され、その端部をガスクロマトグラフ１の筐体周面に取付け、該端部に各ラインユニット４３〜４５に連絡する一対の支流導管１９，３８，４２を挿入している。
【００５４】
すなわち、前記第１乃至第３トランスファーライン３９〜４１の内部に、一対の支流導管１９，３８，４２を加熱かつ保温可能な略軸筒状のラインユニット４３〜４５が埋設されている。
このうち、該ラインユニット４３に支流導管１９，３８が配置され、ラインユニット４４に支流導管３８，４２が配置され、ラインユニット４５に支流導管３８，４２が配置されている。
なお、図６乃至図８ではラインユニット４３について示しているが、ラインユニット４４，４５については、埋設する支流導管が前述のように相違する他は、ラインユニット４３と実質的に同一である。
【００５５】
前記支流導管１９，３８，４２に対する試料ガスの供給は、匂いを嗅ぐオペレータの人数を基に第１および第２流路切換装置１３，１６を介して、制御装置２１によって制御可能にされている。
例えば、二人嗅ぎの場合は、制御装置２１から第１流路切換装置１３へ制御信号Ｓ1が出力され、第１流路切換装置１３のスイッチングガス供給部２７を作動して、三方切換弁２４を開閉制御し、一方の第１支流導管１４を開放し、他方の第１支流導管１５を遮断可能にしている。
【００５６】
次に、制御装置２１から第２流路切換装置１６へ制御信号Ｓ2が出力され、スイッチングガス供給部３５を作動して、三方切換弁３２を開閉制御し、一方の第２支流導管１８を開放し、他方の支流導管１９を遮断可能にしている。
【００５７】
前記試料ガスは、第１支流導管１４から第２流路切換装置１６を経て、第２支流導管１８から第２マニホルド２０へ移動し、該マニホルド２０から第２および第３トランスファーライン４０，４１内に配置された支流導管４２へ送り出され、該支流導管４２，４２の他端から外部へ吹き出し可能にされている。
【００５８】
したがって、二人嗅ぎの場合、分配器７から第２および第３トランスファーライン４０，４１の匂い嗅ぎ位置までの試料ガスの移動流路は、分流導管１０、第１および第２支流導管１４，１８、支流導管４２とで構成され、その長さは前記各導管長さの総和に相当し、かつ第２および第３トランスファーライン４０，４１の匂い嗅ぎ位置までの移動流路の長さは実質的に同一である。
【００５９】
次に、三人嗅ぎの場合は、制御装置２１から第１流路切換装置１３に制御信号Ｓ1が出力され、そのスイッチングガス供給部２７を作動して、三方切換弁２４を開閉制御し、一方の第１支流導管１４を遮断し、他方の第１支流導管１５を開放可能にしている。
【００６０】
前記試料ガスは、第１支流導管１５から第１マニホルド１７へ移動し、該マニホルド１７から各トランスファーライン３９〜４１内に配置された支流導管３８へ送り出され、該支流導管３８の他端から外部へ吹き出し可能にされている。
したがって、三人嗅ぎの場合、分配器７から各トランスファーライン３９〜４１の匂い嗅ぎ位置までの試料ガスの移動流路は、分流導管１０、第１支流導管１５、支流導管３８とで構成され、その長さは前記各導管長さの総和に相当する。
【００６１】
一方、一人嗅ぎの場合は、制御装置２１から第１流路切換装置１３へ制御信号Ｓ1が出力され、第１流路切換装置１３のスイッチングガス供給部２７を作動し、三方切換弁２４を開閉制御して、一方の第１支流導管１５を遮断し、他方の第１支流導管１４を開放可能にしている。
【００６２】
次に、制御装置２１から第２流路切換装置１６へ制御信号Ｓ2が出力され、スイッチングガス供給部３５を作動して、三方切換弁３２を開閉制御し、第２支流導管１８を遮断して、他方の支流導管１９を開放可能にしている。
【００６３】
前記試料ガスは、第１支流導管１４から第２流路切換装置１６を経て、第１トランスファーライン３９内に配置された支流導管１９へ送り出され、該支流導管１９の他端から外部へ吹き出し可能にされている。
したがって、一人嗅ぎの場合、分配器７から第１トランスファーライン３９の匂い嗅ぎ位置までの試料ガスの移動流路は、分流導管１０、第１支流導管１４、支流導管１９とで構成され、その長さは前記各導管長さの総和に相当している。
【００６４】
また、一人嗅ぎ乃至三人嗅ぎの場合、試料ガスの表示器１２におけるピーク溶出時間と匂い嗅ぎ出口到達時間とが一致していること、特に２〜３人嗅ぎの場合、各人が同時期に香気成分を嗅ぐことが、この種の分析装置では重要である。
【００６５】
実施形態では、一人嗅ぎ乃至三人嗅ぎの移動流路の内径を同一に構成し、かつ前記移動流路となる各支流導管の内径を検出導管９の内径よりも大径に構成していて、前記移動流路と検出導管９の内径比を約５：３に構成しており、また一人嗅ぎ乃至三人嗅ぎの移動流路と検出導管９の長さ比を、２６：２３：１９：２２に構成している。
すなわち、一人嗅ぎの移動流路が最も長く、三人嗅ぎの移動流路が最も短く、二人嗅ぎの移動流路がその中間長さに構成されている。
【００６６】
このようにすることで、分配器７から各トランスファーライン３９〜４１の匂い嗅ぎ位置までの試料ガスの移動時間を、分配器７から検出器１１までの試料ガスの移動時間と同一に設定し、試料ガスの表示器１２におけるピ−ク溶出時間と、匂い嗅ぎ出口到達時間とを一致させている。
【００６７】
また、実施形態では、分配器７に接続した検出導管９と分流導管１０のスプリット比を約１：１０〜５：５に設定しているが、変更も可能である。
この場合、検出導管９および前記移動流路を構成する各支流導管またはその一部を脱着可能にし、その内径と長さを変更して試料ガスの流路抵抗を調整することで、目的のスプリット比に変更可能である。
【００６８】
前記ラインユニット４３〜４５の外側に、ブランケット等の柔軟な断熱材４６が肉厚に被覆され、該断熱材４６の外側にアルミ箔等の柔軟で良好な伝熱材４７が多層に被覆されている。図中、４８は後述する熱電対のケーブルケースである。
【００６９】
前記ラインユニット４３〜４５の外側端部を除く内部に、図７のように内外二重の保護管４９，５０が隣接して埋設され、該保護管４９，５０は熱伝導が良好で湾曲可能に構成され、その内側の保護管４９，４９に一対の支流導管１９，３８または３８，４２が配置され、外側の保護管５０，５０の周面にガラスチューブ等の柔軟な絶縁部材５１，５２が内外に被覆され、外側の絶縁部材５２の周面全域にヒータ線５６が捲回されている。
【００７０】
また、前記ラインユニット４３〜４５の外端部に金属製のヒートフランジ５７が装着され、該ヒートフランジ５７は略砲弾形に形成され、その一側周面にフランジ５８が突設され、他側端部にテーパ面（図示略）が形成され、その内部に楕円形断面の貫通孔５９が形成されている。
前記貫通孔５９に一対の保護管４９が隣接して配置され、該保護管４９に一対の支流導管１９，３８または３８，４２が配置されている。
【００７１】
前記ヒートフランジ５７のフランジ５８より内側周面に、ガラスチューブ等の柔軟な絶縁部材６０，６１が内外に被覆され、該絶縁部材６１の周面にヒータ線５６が捲回されている。
前記ヒータ線５６は、各ラインユニット４３〜４５の外側の絶縁部材５２，６１の周面に粗密に捲回ｌされ、その両端部を電源に接続して、加熱ないし保温温度を制御可能にしている。
【００７２】
すなわち、前記ヒータ線５６は各トランスファーライン３９〜４１の一端部のヒートフランジ５７上に密巻域Ｚ2を有し、該密巻域Ｚ2でヒータ線５６を密着して捲回し、その加熱熱量を増量するとともに、その他端部の若干内側位置に準密巻域Ｚ1を有し、該準密巻域Ｚ1で捲回ピッチを密巻域Ｚ2よりも若干粗に捲回し、その加熱熱量を密巻域Ｚ2よりも減量させている。
【００７３】
そして、前記密巻域Ｚ2と準密巻域Ｚ1以外の大半部は、準密巻域Ｚ1よりも捲回ピッチを粗に捲回した粗巻域とし、該粗巻域でヒ−タ線５６の加熱量を更に減量し、各トランスファーライン３９〜４１の全域に亘って一様に加熱かつ保温している。
【００７４】
この場合、密巻域Ｚ2はヒートフランジ５７の体積が大きく、かつその一端がオペレータ側の分析空間に接するため、加熱量を最大に設定し、準密巻域Ｚ1はオーブン６の外側に位置して最初に温度低下を生ずる部位であるため、当該部の加熱量を粗巻域よりも増量し、温度低下を防止するようにしている。
【００７５】
前記各ラインユニット４３〜４５のガスクロマトグラフ１側に、感熱手段である熱電対（図示略）が近接配置され、その検出信号を制御装置２１に入力し、ヒータ線５６の加熱温度を２８０〜３００℃に調整して、支流導管１９，３８，４２の全域を約２５０℃以上に保持し、内部を移動する試料成分の再液化を防止するようにしている。
【００７６】
前記ラインユニット４３〜４５の一端部は、トランスファーライン３９〜４１の外側に突出し、該突出部がオーブン６内部に配置されている。
図中、６２は前記突出部の周面に取付けた外装管、６３はトランスファーライン３９〜４１の外周に取付けた外装管で、該外装管６３の一端部にブラケット６４が取付けられ、該ブラケット６４をガスクロマトグラフ１の筐体周面に取付け可能にしている。
【００７７】
前記外装管６３の他端部にスニッフィングボックス６５が配置され、該ボックス６５の端部にヒートフランジ５７の端部が配置され、該端部に一対の支流導管１９，３８，４２の端部が配置され、該端部から支流導管１９，３８，４２に導かれた試料ガスを吹き出し可能にしている。
前記スニッフィングボックス６５の端面に、ヒートフランジ５７の端部に臨ませて漏斗状のノーズコーン６６の小径部が取付けられ、該ノーズコーン６６の内部にオペレータの鼻６７を挿入可能にしている。
【００７８】
前記ノーズコーン６６の小径部側に空気注入管６８の一端が配管され、この他端が加湿水を収納した湿潤器（図示略）に配管され、湿潤空気をノーズコーン６６に供給可能にしている。
図中、６９は前記ブラケット６４とスニッフィングボックス６５との間に接続したフレキシブルチューブで、内部にトランスファーライン３９〜４１の信号ケーブル（図示略）を収容している。
【００７９】
このように構成した実施形態の香気成分分析装置は、香気成分の分析装置であるガスクロマトグラフ１と、該ガスクロマトグラフ１で分離された香気成分を、検出導管９と支流導管１０とに分配する分配器７と、分配器７から分配された試料ガスを支流導管１４，１５へ送り出す流路切換装置１３と、試料ガスを支流導管１８，１９へ送り出す流路切換装置１６と、ガスクロマトグラフ１の外部に移動した試料ガスの再液化を防止し、オペレータの匂い嗅ぎ位置まで送り出す複数のトランスファーライン３９〜４１と、を備えている
【００８０】
前記ガスクロマトグラフ１のオーブン６内に、試料気化室３に連通する分離カラム５と、分配器７と、検出器１１と、第１および第２流路切換装置１３，１６と、各支流導管１４，１５，１８とを所定位置に配置する。
前記分離カラム５と、検出導管９と分流導管１０、および第１支流導管１４，１５と第２支流導管１８、並びに支流導管１９，３８，４２は、所定の内径と長さのものを使用して所定の管路抵抗に構成する。
【００８１】
前記分配器７に分離カラム５の下流側端部を接続し、該分配器７の他側部に検出導管９と分流導管１０の一端を接続し、これらに分離カラム５に導入した試料ガスを所定のスプリット比で分配可能にする。
このうち、第１乃至第３トランスファーライン３９〜４１側への試料ガスの移動流路を形成する、分流導管１０と、第１支流導管１４，１５と第２支流導管１８、および支流導管１９，３８，４２は所定の内外径のものを使用し、それらを順次接続して、一人嗅ぎ、二人嗅ぎ、三人嗅ぎの移動流路を構成する。
【００８２】
すなわち、一人嗅ぎの試料ガスの移動流路を、分配器７から第１トランスファーライン３９の匂い嗅ぎ位置までとし、これを分流導管１０と第１支流導管１４と支流導管１９とで構成する。
二人嗅ぎの場合の試料ガスの移動流路を、分配器７から第２，第３トランスファーライン４０，４１の匂い嗅ぎ位置までとし、これを分流導管１０と第１および第２支流導管１４，１８と支流導管４２，４２とで構成する。
三人嗅ぎの場合の試料ガスの移動流路を、分配器７から第１乃至第３トランスファーライン３９〜４１の匂い嗅ぎ位置までとし、これを分流導管１０と第１支流導管１５と支流導管３８，３８，３８とで構成する。
【００８３】
そして、前記一人乃至三人嗅ぎの場合の移動流路において、分配器７から第１乃至第３トランスファーライン３９〜４１の匂い嗅ぎ位置までの各移動時間を、分配器７から検出器１１までの移動時間と同一に設定し、試料ガスの表示器１２におけるピーク溶出時間と、匂い嗅ぎ出口到達時間とを一致させる。特に、２〜３人嗅ぎの場合、各オペレータの匂い嗅ぎを同時期に設定する。
【００８４】
前記分流導管１０の下流側に第１流路切換装置１３を配置し、該第１流路切換装置１３から分岐する第１支流導管１４，１５のうち、一方の第１支流導管１４の下流側に第２流路切換装置１６を配置し、他方の第１支流導管１５の下流側に第１マニホルド１７を配置する。
前記第１マニホルド１７に３本の支流導管３８を接続し、それらの他端を第１乃至第３トランスファーライン３９〜４１の各ラインユニット４３〜４５に連絡する。
【００８５】
前記第１および第２流路切換装置１３，１６は、演算器を備えた制御装置２１によって作動を制御され、対応する第１支流導管１４，１５、第２支流導管１８と支流導管１９の流路を導通または遮断可能にする。
実施形態では、第１および第２流路切換装置１３，１６として、制御が容易で正確なＤｅａｎｓ方式による流路切換装置を用いているが、これらを電磁弁や他の切換弁で構成することも可能である。
【００８６】
前記第２流路切換装置１６から第２支流導管１８と支流導管１９を分岐させ、このうち一方の第２支流導管１８の下流側に第２マニホルド２０を配置し、他方の支流導管１９の下流側をラインユニット４３に連絡する。
前記第２マニホルド２０に２本の支流導管４２を接続し、それらの他端をラインユニット４４，４５に連絡する。
【００８７】
前記第１乃至第３トランスファーライン３９〜４１は、断熱かつ保温可能で湾曲可能な筒状に形成され、これらを実質的に同一に構成し、その一端をガスクロマトグラフ１の筐体周面に取付ける。
前記第１乃至第３トランスファーライン３９〜４１は、内部に前記一対の支流導管１９，３８，４２を配置したラインユニット４３〜４５を埋設し、その一端をオーブン６内に配置し、他端を匂い嗅ぎ位置に配置する。
【００８８】
前記ラインユニット４３〜４５は、一対の支流導管１９，３８，４２を近接して配置し、これを保護管４９または４９，５０に挿入し、その周囲をガラスチューブ等の絶縁部材５１，５２または６０，６１で被覆し、その周面にヒータ線５６を粗密に捲回して加熱かつ温度調整可能に構成する。
【００８９】
すなわち、ラインユニット４３〜４５は、一端部にヒータ線５６を密着して捲回した密巻域Ｚ1を有し、他側端部より若干内側位置にヒータ線５６のピッチを若干離間して捲回した準密巻域Ｚ2を有し、その他の部分はヒータ線５６のピッチを更に離間して捲回した粗巻域にして、各部分の加熱量を調整し、加熱温度を４０〜３００℃に調整して、支流導管１９，３８，４２の内部を移動する試料ガスの再液化を防止可能にする。この状況は図６のようである。
【００９０】
そして、各トランスファーライン３９〜４１の一端部をスニッフィングボックス６５に収容し、各ヒートフランジ５７の端部を前記ボックス６５外端面に配置し、匂い嗅ぎ位置であるヒートフランジ５７の端部にノーズコーン６６の基部を取付け、該基部に空気注入管６８の一端を配管し、この他端を湿潤器（図示略）に接続する。
また、各トランスファーライン３９〜４１の他端部にブラケット６４を取付け、該ブラケット６４とスニッフィングボックス６５との間にフレキシブルチューブ６９を架け渡し、該チュ−ブ６９内に各種の信号ケーブル（図示略）を収容し、これを制御装置２１に接続する。
【００９１】
こうして組み立てたトランスファーライン３９〜４１は図４および図５のようで、この一端部をブラケット６４を介してガスクロマトグラフ１の筐体周面に取付ける。
前記トランスファーライン３９〜４１は、使用時に適宜湾曲操作し、ノーズコーン６６の位置をオペレータの鼻６７の位置に調整する。
【００９２】
このような香気成分分析装置によって試料の香気成分を分析する場合は、試料気化室３とオーブン６を所定温度に加熱し、またオペレータの人数によって、対応するトランスファーライン３９〜４１のヒータ線５６を通電し、該ヒータ線５６ないし支流導管１９，３８，４２を所定温度に加熱する。
この場合、オペレータの人数によって、対応する支流導管１９，３８，４２を加熱したり加熱しなかったりすると、温度によって流路抵抗が変化し、スイッチング圧の設定に影響が出る可能性があるので、前記支流導管１９，３８，４２を常時加温することが望ましい。
【００９３】
このような状況の下でキャリアガス導管２にキャリアガスを供給し、試料注入器４から試料気化室３に気体または液体の試料を注入し、該試料気化室３で試料を瞬間的に気化させ、その気化試料をキャリアガスを介して分離カラム５へ送り出す。
前記気化試料は分離カラム５を移動する際、含有する種々の香気成分が固定相で順次分離され、分離された香気成分が分離カラム５を移動して分配器７に導かれ、該分配器７で所定のスプリット比に分配され、検出導管９と分流導管１０に送り出される。
【００９４】
実施形態では、前記スプリット比が１：１０〜５：５に設定され、試料ガスが検出導管９と分流導管１０に前記割合で送り出される。
このうち、前記試料ガスは検出導管９を移動して検出器１１に導かれ、該検出器１１で香気成分を検出し、その検出信号を表示器１２に出力し、該表示器１２でクロマトグラムを表示する。
また、残りの多量の試料ガスが分流導管１０を移動し、第１流路切換装置１３に導かれる。
【００９５】
一方、分析開始前、制御装置２１に対しオペレータの人数等の分析条件が入力され、該入力を条件に分析開始時、制御装置２１から第１および第２流路切換装置に対し、匂い嗅ぎ分析するオペレータの人数によって相違する制御信号Ｓ1，Ｓ2が出力される。
【００９６】
すなわち、二人のオペレータで匂い嗅ぎ分析する場合は、前記制御信号Ｓ1によって、第１流路切換装置１３の三方切換弁２４を開閉作動し、スイッチングガス供給部２７からスイッチングガスを三方切換弁２４へ供給し、スイッチングガスをスイッチングガス分岐路２３に導いて、第１支流導管１５側へ移動させる。
【００９７】
その際、前記スイッチングガスの一部は抵抗管２８を移動して他方のスイッチングガス分岐路２２に導かれ、前記抵抗管２８を移動する際、その管路抵抗によって圧力降下を生じ、連通管２９の両端に圧力差を生じる。
【００９８】
すなわち、第１支流導管１５側が分流導管１０側よりも高圧になり、その圧力差によってスイッチングガスが連通管２９に導かれて分流導管１０側へ移動し、残りのスイッチングガスが第１支流導管１５側へ移動する。
このため、分流導管１０から送られた試料ガスが、連通管２９内の少量のスイッチングガスと合流し、第１支流導管１４側へ移動して第２流路切換装置１６へ導かれる。
【００９９】
次に、前記制御信号Ｓ2によって、第２流路切換装置１６の三方切換弁３２を開閉作動し、スイッチングガス供給部３５からスイッチングガスを三方切換弁３２へ供給し、スイッチングガスをスイッチングガス分岐路３１に導いて、第２支流導管１９側へ移動させる
【０１００】
前記スイッチングガスの一部は、抵抗管３６を移動して他方のスイッチングガス分岐路３０に導かれ、前記抵抗管３６を移動する際、その管路抵抗によって圧力降下を生じ、連通管３７の両端に圧力差を生じる。
【０１０１】
すなわち、第２支流導管１９側が第１支流導管１４側よりも高圧になり、その圧力差によってスイッチングガスが連通管３７に導かれて第１支流導管１４側へ移動し、残りのスイッチングガスが第２支流導管１９側へ移動する。
このため、第１支流導管１４から送られた試料ガスが、連通管３７内の少量のスイッチングガスと合流し、第２支流導管１８側へ移動して、第２マニホルド２０へ導かれる。
【０１０２】
一方、一人のオペレ−タで匂い嗅ぎ分析する場合は、第１流路切換装置１３における切換作動は前述と同様で、試料ガスが第１流路切換装置１３から第１支流導管１４側へ移動し、第２流路切換装置１６へ導かれる。
前記第２流路切換装置１６では、制御信号Ｓ2によって、三方切換弁３２を図３と反対方向に開閉作動し、スイッチングガス供給部３５からスイッチングガスを三方切換弁３２へ供給し、スイッチングガスをスイッチングガス分岐路３０に導いて、第１支流導管１４側へ移動させる。
【０１０３】
前記スイッチングガスの一部は、抵抗管３６を移動して他方のスイッチングガス分岐路３１に導かれ、前記抵抗管３６を移動する際、その管路抵抗によって圧力降下を生じ、連通管３７の両端に圧力差を生じる。
すなわち、第１支流導管１４側が第２支流導管１９側よりも高圧になり、その圧力差によってスイッチングガスが連通管３７に導かれて第２支流導管１９側へ移動し、残りのスイッチングガスが第１支流導管１４側へ移動する。
このため、第１支流導管１４に導かれた試料ガスが、連通管３７内の少量のスイッチングガスと合流し、第２支流導管１９側へ移動して、トランスファーライン４２へ導かれる
【０１０４】
また、三人のオペレータで匂い嗅ぎ分析する場合は、、前記制御信号Ｓ1によって、第１流路切換装置１３の三方切換弁２４を図２と反対方向に開閉作動し、前記制御信号Ｓ1によってスイッチングガス供給部２７からスイッチングガスを三方切換弁２４へ供給し、スイッチングガスをスイッチングガス分岐路２２に導いて、分流導管１０側へ移動させる
【０１０５】
その際、前記スイッチングガスの一部は抵抗管２８を移動して他方のスイッチングガス分岐路２３に導かれ、前記抵抗管２８を移動する際、その管路抵抗によって圧力降下を生じ、連通管２９の両端に圧力差を生じる。
すなわち、分流導管１０側が第１支流導管１５側よりも高圧になり、その圧力差によってスイッチングガスが連通管２９に導かれて第１支流導管１５側へ移動し、残りのスイッチングガスが第１支流導管１０側へ移動する。
このため、分流導管１０から送られた試料ガスが、連通管２９内の少量のスイッチングガスと合流し、第１支流導管１５側へ移動して、第１マニホルド１７へ導かれる。
【０１０６】
このように二人のオペレータで匂い嗅ぎ分析する場合は、試料ガスは分配器７から分流導管１０，第１流路切換装置１３、第１支流導管１４、第２流路切換装置１６、第２支流導管１８、第２マニホルド２０へ移動し、該マニホルド２０から２本の支流導管４２，４２に分流し、オーブン６の内側から外側へ移動し、オーブン６の外側に配置した第２および第３トランスファーライン４０，４１の内部を移動する。この状況は図９のようである
【０１０７】
また、三人のオペレータで匂い嗅ぎ分析する場合は、試料ガスは分配器７から分流導管１０，第１流路切換装置１３、第１支流導管１５、第１マニホルド１７へ移動し、該マニホルド１７から３本の支流導管３８，３８，３８に分流し、オーブン６の内側から外側へ移動し、オーブン６の外側に配置した第１乃至第３トランスファーライン３９〜４１の内部を移動する。この状況は図１０のようである。
【０１０８】
更に、一人のオペレータで匂い嗅ぎ分析する場合は、試料ガスは分配器７から分流導管１０，第１流路切換装置１３、第１支流導管１４、第２流路切換装置１６、支流導管１９に導かれ、オーブン６の内側から外側へ移動し、オーブン６の外側に配置した第１トランスファーライン３９の内部を移動する。この状況は図１１のようである。
【０１０９】
こうして、前記試料ガスは支流導管１９，３８，４２に導かれてオーブン６の内側から外側へ移動し、各ラインユニット４３〜４５の一端部側に設けたヒータ線５６の準密巻域Ｚ1に導かれ、該準密巻域Ｚ1で加熱量を増量されて、オーブン６の外部移動時における温度低下を防止される。
この後、前記試料ガスは各トランスファーライン３９〜４１のヒータ線５６の粗巻域を移動し、該粗巻域のヒータ線５６に加熱されて所定温度を維持する。
【０１１０】
そして、前記粗巻域を通過後、各ラインユニット４３〜４５の他端部側に設けたヒータ線５６の密巻域Ｚ2導かれ、該密巻域Ｚ2で加熱量を増量されて、ヒートフランジ５７の吸熱による温度低下と外気接触による降温を防止される。
このようにして、前記試料ガスは各トランスファーライン３９〜４１の全域において所定温度を維持し、その再液化を防止される。
【０１１１】
こうして試料ガスは、一定温度に維持されたトランスファーライン３９〜４１内を移動し、その再液化を防止されてヒートフランジ５７の端部の匂い嗅ぎ位置に到達し、該端部から放出されてノーズコーン６６内に拡散し、これをオペレ−タの鼻６７で嗅ぎ分ける。
その際、ノーズコーン６６に空気注入管６８から湿潤空気が吹き出され、オペレータの鼻６７の粘膜を乾燥から保護する。
【０１１２】
このように実施形態では、オペレータの人数に応じて試料ガスの移動流路を切換え、一人嗅ぎ分析から三人嗅ぎ分析の前記移動流路を別々に設定し、各移動流路の共用ないし混用を回避するから、分析精度とその信頼性の向上を図れる。
【０１１３】
また、実施形態ではオペレータが実際に使用するトランスファーラインだけに試料ガスを供給し、実際に使用しないトランスファーラインには試料ガスを供給しないから、試料ガスないし香気成分を合理的かつ有効に利用することができ、微量で匂いの弱い香気成分も正確かつ精密に嗅ぎ分けることができる。
【０１１４】
また、各トランスファーライン３９〜４１に、相異なる複数人嗅ぎ用の二本の支流導管１９，３８，４２を配置しているから、換言すれば各トランスファーライン３９〜４１に移動流路を異にする二本の支流導管１９，３８，４２を配置しているから、各トランスファーライン３９〜４１を二通りの嗅ぎ分けに利用し得、使用の多様化を図れる。
【０１１５】
すなわち、支流導管１９，３８，４２を第１トランスファーライン３９に三人嗅ぎ用の支流導管３８と一人嗅ぎ用の支流導管１９を配置し、第２トランスファーライン４０に三人嗅ぎ用の支流導管３８と二人嗅ぎ用の支流導管４２を配置し、第３トランスファーライン４１に三人嗅ぎ用の支流導管３８と二人嗅ぎ用の支流導管４２を配置している。
【０１１６】
一人嗅ぎ、二人嗅ぎ、三人嗅ぎの各場合における分配器７から各試料ガス流路の移動終端の匂い嗅ぎ位置までの移動時間は、その試料ガス流路の長さと内径による管路抵抗、更に厳密にはキャリアガスの圧力ないし流速、スイッチングガス供給に伴なう圧力損失に関係する。
【０１１７】
実施形態では、前記移動時間を調整し、試料ガスの表示器１２におけるピーク溶出時間と匂い嗅ぎ出口到達時間とを一致させているから、オペレータは、表示器１２に表示されるピークの匂いを正確に識別することができる。
【０１１８】
その際、二人嗅ぎの場合は、試料ガスが前記専用の試料ガス流路を移動し、第２マニホルド２０から二本の支流導管４２，４２に分流し、第２および第３トランスファーライン４０，４１内を移動し、その移動終端の匂い嗅ぎ位置から同時に放出される。この状況は図９のようである。
また、三人嗅ぎの場合は、試料ガスが前記専用の試料ガス流路を移動し、第１マニホルド１７から三本の支流導管３８，３８，３８に分流し、全てのトランスファーライン３９〜４１内を移動し、その移動終端の匂い嗅ぎ位置から同時に放出される。この状況は図１０のようである。
【０１１９】
更に、一人嗅ぎの場合は、試料ガスが前記専用の試料ガス流路を移動し、第２流路切換装置１６から一本の支流導管１９に分流し、第１トランスファーライン３９内を移動し、その移動終端の匂い嗅ぎ位置から放出される。この状況は図１１のようである。
【０１２０】
このように実施形態の香気成分分析装置は、匂いを嗅ぐオペレータの人数に応じて試料ガスを合理的かつ有効に分配し、かつ試料ガスが検出器と匂い嗅ぎ出口に到達する時間を一致させているから、分析の信頼性を得られとともに、香気成分ピ−クの微妙な香りの違いや強弱を正確かつ精密に嗅ぎ分けることができる。
【０１２１】
図１２は本発明の他の実施形態を示し、前述した実施形態の構成と対応する部分に同一の符号を用いている。この実施形態は前述の第１および第２流路切換装置１３，１６の代わりに、単一の流路切換装置７０を使用し、構成を簡潔化し安価に製作し得るとともに、分析操作を容易かつ速やかに行なえるようにしている。
【０１２２】
前記流路切換装置７０は、コモンポートＰ0と、三つのポートＰ1〜Ｐ3を有し、コモンポートＰ0に前記分流管１０を接続し、ポートＰ1に第１トランスファーライン３９に連通する支流導管１９を接続し、ポートＰ2に第２および第３トランスファーライン４０，４１の支流導管４２，４２に連通する支流導管１８を接続し、ポートＰ3に第１乃至第３トランスファーライン３９〜４１の各支流導管３８に連通する支流導管１５を接続している
【０１２３】
前記流路切換装置７０は、制御装置２１の制御信号Ｓによって作動する回転スプール７１を有し、該回転スプール７１に前記各ポートＰ0〜Ｐ3に連通する連通溝７２を備え、前記回転スプール７１の回動角度によって、一人嗅ぎ乃至三人嗅ぎ分析を実行可能にしている。
すなわち、一人嗅ぎ分析の場合は連通溝７２をポートＰ1に連通させ、二人嗅ぎ分析の場合は連通溝７２をポートＰ2に連通させ、三人嗅ぎ分析の場合は連通溝７２をポートＰ3に連通させて行なう。
【０１２４】
この場合、この実施形態では前述の第１支流導管１４が省略され、該導管１４による試料ガス流路が消失し、その分他の試料ガス流路が短縮される。
したがって、流路切換装置７０の制御と制御操作が簡潔になり、また試料ガスの流路も簡潔かつコンパクトになり、この種分析装置の小形軽量化を図れる。
【産業上の利用可能性】
【０１２５】
本発明の香気成分分析装置は、サンプルの再液化を防止し、香気成分ピークの微妙な香りの違いや強弱を容易に嗅ぎ分けられるとともに、匂いを嗅ぐオペレータの人数に応じて香気成分を合理的かつ有効に分配し、分析の信頼性を得られるから、人間の嗅覚を用いた分析方法であるガスクロマトグラフィーオルファクトメトリー（ＧＣ−Ｏ）に好適である
【符号の説明】
【０１２６】
１                    ガスクロマトグラフ
５                    主流導管（分離カラム）
６                    オーブン
７                    分配器
１０                  分流管
１１                  検出器
１３                  第１流路切換装置
【０１２７】
１４，１５            第１支流導管
１６                  第２流路切換装置
１７                  第１マニホルド
１８                  第２支流導管
１９                  支流導管
２０                  第２マニホルド
３８                  支流導管
【０１２８】
３９                  第１トランスファーライン
４０                  第２トランスファーライン
４１                  第３トランスファーライン
４２                  支流導管
５６                  ヒータ線
５７                  ヒートフランジ
【０１２９】
７０                  流路切換装置
Ｚ1                   準密巻域
Ｚ2                   密巻域
【図１】
2012207982.tif 000003
【図２】
2012207982.tif 000004
【図３】
2012207982.tif 000005
【図４】
2012207982.tif 000006
【図５】
2012207982.tif 000007
【図６】
2012207982.tif 000008
【図７】
2012207982.tif 000009
【図８】
2012207982.tif 000010
【図９】
2012207982.tif 000011
【図１０】
2012207982.tif 000012
【図１１】
2012207982.tif 000013
【図１２】
2012207982.tif 000014